(57)【要約】      （修正有）【課題】小径木や製材から生まれる小片木材等の有効利用を図れないかとの着想から、木質構造体としての機能を十分に発揮するとともに、併せて従来にない造形の装飾的機能を発揮する木質構造体の製造技術を提供する。【解決手段】芯材と木質部材を利用して木造構造物を製造する製造方法であって、木材から小片木材等を得る木質部材加工工程Ａと木質部材に芯材を挿通する挿通穴を設ける挿通穴加工工程Ｂと、木質部材加工工程Ａ及び挿通穴加工工程Ｂで得られた木質部材の挿通穴に、芯材を挿通させて木造構造物を組み立てる組立工程Ｃと、芯材の両端に設けられる締結部材によって締結する締結工程Ｄから成る製造方法。【選択図】図１
2020082651.tif 000002
【特許請求の範囲】
【請求項１】
芯材（１０）と木質部材（２０）を利用して木造構造物（３０）を製造する製造方法であって、
木材から小片木材等を得る木質部材加工工程Aと
前記木質部材（２０）に前記芯材（１０）を挿通する挿通穴（２１）を設ける挿通穴加工工程Bと、
前記木質部材加工工程Ａ及び前記挿通穴加工工程Ｂで得られた前記木質部材２０の前記挿通穴（２１）に、前記芯材（１０）を挿通させて前記木造構造物３０を組み立てる組立工程Cと、
前記芯材（１０）の両端に設けられる締結部材（４０）によって締結する締結工程Dから成ることを特徴とする芯材挿通式木質構造体の製造方法（１）。
【請求項２】
前記芯材（１０）の片側端部又は両側端部に螺合部（１１）を備え、
前記組立工程Cにおいて前記木質部材（２０）を前記芯材（１０）の形状に沿って複数挿通させて組み立てた後、
前記締結工程Dにおいて、前記連結部（４０）及び、螺合部材（１２）を介して前記芯材（１０）を締結することを特徴とする請求項１に記載の芯材挿通式木質構造体の製造方法（１）。
【請求項３】
前記締結工程Dにおいて、前記芯材（１０）及び前記連結部材（４０）に対し、垂直方向にも前記芯材（１０）及び前記連結部材（４０）設けることを特徴とする請求項１又は請求項２に記載の芯材挿通式木質構造体の製造方法（１）。
【請求項４】
芯材（１０）と木質部材（２０）を利用した木造構造物（３０）であって、
前記木質部材（２０）には前記芯材（１０）を挿通する挿通穴（２１）を設け、
前記木質部材（２０）を前記芯材（１０）の形状に沿って複数挿通させ、
前記芯材（１０）の両端に設けられる締結部材（４０）によって締結することを特徴とする芯材挿通式木質構造体（２）。
【請求項５】
前記芯材（１０）の片側端部又は両側端部に螺合部（１１）を備え、
前記木質部材（２０）を前記芯材（１０）の形状に沿って複数挿通させた後
前記連結部（４０）及び、螺合部材（１２）を介して前記芯材（１０）を締結することを特徴とする請求項１に記載の芯材挿通式木質構造体（２）。
【請求項６】
前記芯材（１０）及び前記連結部材（４０）に対し、垂直方向にも前記芯材（１０）及び前記連結部材（４０）設けることを特徴とする請求項１又は請求項２に記載の芯材挿通式木質構造体（２）。
【発明の詳細な説明】
【技術分野】
【０００１】
本発明は、木材を利用した構造体の製造方法に関し、詳しくは、小径の芯材を木片等に挿通させ、木質構造体を成形する工法であって、製材等において廃棄される木材の切り屑等の有効利用を図りつつ、無垢材では不可能な長尺なものや、曲率を有する形状のものにも対応でき、従来にない木質特有の造形美及び機能美を創出する木質構造体の製造技術に関する。
【背景技術】
【０００２】
木材の温かみや素材感は、優しい印象を与え、生活に癒しの空間を創造する。また、日本の人工林は昭和３０年から４０年にかけて、わが国の政策として大量に植林され、５０年以上経た現在収穫期に入ったが、地球温暖化の加速による二酸化炭素の削減を目的として環境間伐が２００８年より始まり、国産材は供給過多の時代となった。そのため、木材価格の下落が続く状況であり、特に環境間伐で産出される小径間伐材は、利用価値が少なく、新たな利用の途が求められている。
【０００３】
また、間伐材は成熟した木材と比較し、小径であることや収縮や変形等が大きいという弱点があるため、木質チップや合板、ラミナ材などに利用されることが多く、角材を利用する木造構造物の材料としては敬遠されている。また、通常の角材を用いる場合では乾燥済みのものを使用することが多く、含水率の高い生の角材を使用してパネル状の木造構造物を作ることは非常に困難であるといえる。しかしながら、乾燥木材を使うとなると、コスト高となり経済的負担が大きくなる。また、含水率の高い生の非乾燥材では、変形しやすく、撓み等も生じることとなる。そこで、小径木の非乾燥木材でも材料として利用できる木質構造の製造技術が求められている。
【０００４】
木材を利用した構造物は、人の生活において温かい印象を受け、無機物で構成される構造物と比較して癒しの空間を創造しやすいといえるが、製材された角材等の組み合わせだけではデザイン的に限界があるといえ、従来にない創作性を発揮できる木材を利用した工法が求められている。
【０００５】
これらの課題を解決しようと、従来からも種々の技術が提案されている。例えば、特許文献１には、発明の名称を「木質ブロック乾式ユニット組積工法と建造物」とする技術が開示され、公知技術となっている（特許文献１参照）。具体的には「間伐材を含む小口径短尺原木の角柱材にモジュール性システムを導入加工、導入加工の角柱材が木質システムブロック、木質システムブロック乾式ユニット組積工法に依る建造物の建設を目的」を課題とし、その解決手段は、「モジュール性システムとシステム導入に付いて、任意正方形木質角柱、任意矩形木質角柱の横臥上端面より、横臥下端面に９０度の任意等間隔貫通孔複数加工を成して、角柱と角柱にモジュール性システムを導入、導入加工材の 性能形状をシステムと呼び記す、図示が任意等間隔貫通孔複数加工を成してモジュール性システム導入のシステム」とするものである。しかし、係る技術は、複数の木製のブロックに貫通穴を設け、軸芯を基準としてユニットボルトを挿通させるという点において、本発明の構成と共通する点を有しているが、複雑な形状や、斬新な創作性を発揮するデザインに対応させることができないものである。
【０００６】
また、特許文献２には、発明の名称を「擁壁施工法」とする技術が開示され、公知技術となっている（特許文献２参照）。具体的には「一定の規格を定め、その規格に応じてブロック単位の擁壁を工場で製造し、かつ、擁壁を形成する場所において規格に併せた支柱を設置し、該支柱に擁壁ブロックを積み上げることにより、擁壁を形成するという擁壁施工法を提供する。」ことを課題とし、その解決手段は、「コンクリート製の基礎に固定される水平部と擁壁を支持する起立部とからなる鉄骨製の支柱と、支柱の起立部に 填める複数の貫通穴を備えた直方体状のコンクリート製擁壁ブロックと、隣接する支柱の水平部間の距 離を一定にするための水平部用ゲージと、隣接する支柱の起立部間の距離を一定にするための起立部用ゲージと、支柱の起立部を垂直に立設するための垂直測定具とを使用し、コンクリート製の基礎に擁壁を立設する」というものである。係る技術は、木製の部材を利用するものではないが、支柱に対してゲージで繋いで構造体を成すという点において、本発明と共通する点がある。しかしながら、係る技術は木の特性を利用した造形美や、木質から生ずる癒し空間を創出するといった効果を発揮できず、また、間伐材や製材から排出される小片木材の有効利用を図るといった課題を解決するに至っていない。
【０００７】
また、発明の名称を「細長木材組み立式一体工法」とする技術が開示され、公知技術となっている（特許文献３参照）。具体的には「優れた省資源健康住宅を作るためには全て自然のあるがままの材料を使うのが理想であり、その中でも間伐材の有効利用による森林保全と住宅単価を引き下げる」ことを課題とし、その解決手段は、「基礎の簡略化と施工費引き下げに対して、既製コンクリートブロックを使用、上部構造物の組立の簡略化と施工費引き下げに対して、工場加工品とする、パネル、板材以外は集成材としない、工業製品の化学物質削減に対して、間伐材を使用する、建物維持費削減に 対して、地熱利用、断熱空気層を作る、解体後の資源再利用に対して、アンカーボルト以外の金物は使用しない」というものである。しかし、係る技術は、柱の間に水平材を組み上げて壁材を構成する物であり、木材の撓みは大きく、乾燥させる製材工程を経た角材等でなければならず、どのような木材でも構成材料となるという本発明の課題を解決するに至っていない。
【先行技術文献】
【特許文献】
【０００８】
【特許文献１】特開平０７−１２７１６１
【特許文献２】特開２００４−３０８２２０
【特許文献３】特開２０１１−２２００８８
【発明の概要】
【発明が解決しようとする課題】
【０００９】
本発明は、上記の問題を解決すべく、小径木や製材から生まれる小片木材等の有効利用を図れないかとの着想から、木質構造体としての機能を十分に発揮するとともに、従来にない造形の装飾的機能を発揮可能な木質構造体の製造技術の提供を課題とするものである。
【課題を解決するための手段】
【００１０】
本発明に係る芯材挿通式木質構造体の製造方法は、芯材と木質部材を利用して木造構造物を製造する製造方法であって、木材から小片木材等を得る木質部材加工工程Aと前記木質部材に前記芯材を挿通する挿通穴を設ける挿通穴加工工程Bと、前記木質部材加工工程Ａ及び前記挿通穴加工工程Ｂで得られた前記木質部材の前記挿通穴に、前記芯材を挿通させて前記木造構造物を組み立てる組立工程Cと、前記芯材の両端に設けられる締結部材によって締結する締結工程Dから成る構成を採用した。
【００１１】
また、発明に係る芯材挿通式木質構造体の製造方法は、前記芯材の片側端部又は両側端部に螺合部を備え、前記組立工程Cにおいて前記木質部材を前記芯材の形状に沿って複数挿通させて組み立てた後、前記締結工程Dにおいて、前記連結部及び、螺合部材を介して前記芯材を締結する構成の製造方法とすることもできる。
【００１２】
また、発明に係る芯材挿通式木質構造体の製造方法は、前記締結工程Dにおいて、前記芯材及び前記連結部材に対し、垂直方向にも前記芯材及び前記連結部材を設ける構成の製造方法とすることもできる。
【００１３】
また、発明に係る芯材挿通式木質構造体は、芯材と木質部材を利用した木造構造物であって、前記木質部材には前記芯材を挿通する挿通穴を設け、前記木質部材を前記芯材の形状に沿って複数挿通させ、前記芯材の両端に設けられる締結部材によって締結した構成を採用することもできる。
【００１４】
また、発明に係る芯材挿通式木質構造体は、前記芯材の片側端部又は両側端部に螺合部を備え、前記木質部材を前記芯材の形状に沿って複数挿通させた後前記連結部及び、螺合部材を介して前記芯材を締結する構成を採用することもできる。
【００１５】
また、発明に係る芯材挿通式木質構造体は、前記芯材及び前記連結部材に対し、垂直方向にも前記芯材及び前記連結部材を設ける構成を採用することもできる。
【発明の効果】
【００１６】
本発明に係る芯材挿通式木質構造体及びその製造方法によれば、廃棄される小木片等を有効利用できるとともに、木材の切断と穴あけは最も簡易な加工なので、加工設備に高額な投資がかからず製品コストを大幅に削減ができるという優れた効果を発揮する。
【００１７】
また、本発明に係る芯材挿通式木質構造体及びその製造方法によれば、無垢材では得られない長物の木質構造体や、机やいす等の脚部等、更にはこれらと直行する方向に用いてテーブルの枠体とするなど装飾的機能を発揮する木質構造体を提供することができるという優れた効果を発揮する。
【００１８】
また、本発明に係る芯材挿通式木質構造体及びその製造方法によれば、芯材は直線的なものとは限らず、曲状としてもよい。係る構成に採用した場合では曲状の心材に沿った木質構造体とすることができ、従来にない、装飾的な装飾機能を発揮できるという優れた効果を発揮する。
【００１９】
また、本発明に係る芯材挿通式木質構造体及びその製造方法によれば、芯材を複数連接することにより壁部材やパネル部材等を構成することもでき、形状の異なる木片等の組み合わせから生じる隙間を用いて、美観や通気性といった機能を発揮させることができるという優れた効果を発揮する。
【００２０】
また、本発明に係る芯材挿通式木質構造体及びその製造方法によれば、小木片を用いることにより、座屈に対する強度の高い木質構造体とすることができるという優れた効果を発揮する。
【図面の簡単な説明】
【００２１】
【図１】本発明に係る芯材挿通式木質構造体の製造方法に係る作業工程を示すフローチャートである。
【図２】本発明に係る芯材挿通式木質構造体の基本構成を説明する基本構成説明図である。
【図３】本発明に係る芯材挿通式木質構造体を複数用いて平面的に構成する実施例を説明する実施例説明図である。
【図４】直行方向にも芯材を利用する構成を採用した場合の芯材挿通式木質構造体の実施例を説明する実施例説明図である。
【図５】直線状及び曲線状の芯材を利用した構成の芯材挿通式木質構造体の実施例を説明する実施例説明図である。
【図６】本発明に係る芯材挿通式木質構造体を複数用いて立体的に構成する実施例を説明する実施例説明図である。
【発明を実施するための形態】
【００２２】
本発明は、木造構造物３０の製造方法と、その製造方法によって製造される木造構造物３０の２つのカテゴリーに属する発明であるため、先ず、本発明に係る芯材挿通式木造構造物製造方法１の製造方法について説明し、その後に特徴的な構造を有する芯材挿通式木造構造物２について説明する。なお、製造方法と木造構造物３０の何れにも共通する構成部材の説明は重複する部分について省略する。
【００２３】
図１は、本発明の製造方法に係る作業工程を示すフローチャートであり、全体としては、木質部材加工工程Ａと、挿通穴加工工程Ｂと、組立工程Ｃによって製造した木造構造物３０を、締結工程Ｄによって立体的な木造構造物３０を得る製造方法である。以下、各工程毎に説明をする。
【００２４】
木質部材加工工程Ａは、森林の伐採や間伐等によって搬出された木材を、例えば輪切り等の加工を行う工程である。但し、製材等から排出される小片木材等を有効利用等する場合には、木質部材加工工程Aは省略することができる。
【００２５】
挿通穴加工工程Ｂは、前記木質部材加工工程Ａにおいて、芯材１０を挿通させるための挿通穴２１の加工を含むものである。但し、一般の製材等から排出される小片の木材の場合等ではそのままの形状で利用することが可能な場合が多く、前記の通り、輪切り等の加工が不要な場合には、挿通穴２１の穴あけ加工のみの工程となる場合もある。なお、挿通穴２１の内径は、芯材１０の直径に対応する大きさに加工する必要があり、木造構造物３０として、必要な剛性を確保するために締まり嵌めの寸法公差としたり、造形美と組み立ての容易性を優先して、隙間嵌めの寸法公差とする。即ち、目的となる木造構造物３０の特性として求められる加工精度での穴あけ加工を行う。
【００２６】
組立工程Ｃは、木質部材加工工程Ａ及び挿通穴加工工程Ｂで得られた木質部材２０の挿通穴２１に、芯材１０を挿通させて、木造構造物３０を組み立てる工程である。係る組立工程Cにおいて特に注意するのは、芯材１０に対して直線的に木質部材２０を配置する場合と、芯材１０に曲率を有する部分に木質部材２０を配置する場合とでは、どのような形状の木質部材２０を選択して組み合わせる検討をしなければならない点である。特に軸方向に作用する力については、曲げと座屈を考慮する必要がある。他方、芯材１０に曲率を有する部分を含む場合には、木質部材２０の上面と底面が平行でないものを選択したり、丸太状の輪切りの辺が当接するように、曲面部同士や、曲面部と平面部との組み合わせによる木質部材２０は、作用する応力を考慮して行う。なお、各木質部材２０同士の当接部に接着剤を塗布することが、強度的により望ましい。
【００２７】
締結工程Ｄは、組立工程Ｃによって得られた棒状、又は平面上の木造構造物３０を組み合わせることにより、立体的な木造構造物３０として、芯材挿通式木質構造体２を得る工程である。係る工程に用いる連結部材４０には芯材１０との関係において螺合部１１により、連結するものである。具体的には、例えば、図５（ｂ）に示すような、直線の芯材１０に沿って木質部材２０を挿通させた花台や、図５（ａ）に示すような、曲率を有する芯材１０に沿って挿通される木質部材２０が曲がった造形の照明スタンドのように、1本の曲がった芯材１０で構成される木造構造物３０の芯材挿通式木質構造体２としたり、図６（ａ）に示すような、複数の木造構造物３０で構成される平面的な壁を面方向が垂直になるように組み合わせた屏や、図６（ｂ）に示すような二つの水平な辺が直交する角部に更に垂直方向の木造構造物３０を組み合わせる構成を、四か所配置することによって得られるテーブルとするなど、多様な立体的構成の芯材挿通式木質構造体２とすることができる。なお、図６（ｃ）は曲状の木造構造物３０を複数組み合わせてパーゴラを構成することも可能となる実施例を示したものである。
【００２８】
図２は、本発明に係る芯材挿通式木質構造体２の基本構成を説明する基本構成説明図であり、図２（ａ）は、芯材１０が直線状のものに複数の木質部材２０を挿通させた状態を示し、図２（ｂ）は、直線状の芯材１０に挿通する前の複数の木質部材２０を示し、図２（ｃ）は、挿通される木質部材２０は製材された小片でも間伐材の輪切りでも、或いは芯持ち材でも辺材でも良く、木目の方向にも捉らわれないことを示し、図２（ｄ）は、芯材１０が曲線状であって、複数の木質部材２０がその曲率に沿って挿通された状態を示している。
【００２９】
図２（ａ）に示す通り、本発明に係る芯材挿通式木質構造体２は、連続して挿通される木質部材２０の形状については多種多様のものが対応可能であり、芯材１０の通る長手方向に、挿通穴２１を有していれば矩形や円形といった外形形状にとらわれることなく対応することができる。なお、図２（ａ）、図２（ｂ）、図２（ｄ）には木質部材２０の中心を通すように挿通穴２１を設けるように示したが、係る挿通穴２１の位置は必ずしも中心を通る必要はない。従って、例えば図2（ｃ）に示すように、角材の小片や丸太を輪切りにした等の色々な木片を、木質部材２０として利用する場合でも、これらの木片は正円でなくてもよく、また、中心を外した位置に挿通穴２１を有してもよい。但し、樹芯から離れた表皮に近い辺材の部分は、若い部分であり、水分が多く、収縮と変形が大きいため、大きな力が作用する木質構造物３０のような場合には、係る配置関係を考慮することが望ましい。以下、構成部材について詳細に説明する。
【００３０】
芯材１０は、本発明に係る芯材挿通式木質構造体２における基軸となる部材であり、基本的に木質構造体３０に掛かる強度を受けるとともに、装飾的機能の要となるものである。図２（ａ）及び図２（ｂ）に示した通り、直線状の軸とする場合は座屈に対する耐力が大きく、図（ｃ）に示すような湾曲した形状と比較すると垂直方向の荷重に対して強くなる。但し、直線のみ使用であると、装飾の幅が限定されてしまうため、図２（ｃ）のような形状を用いたりすることによって、強度よりもデザイン性を重視するような木質構造体３０とすることも有効である。また、材質については金属、木材、樹脂製でもよく、特に限定されるものではないが、木質構造体３０が求められる剛性を有することが必要となるため、金属製であることが望ましく、中でも酸化の恐れが少ないニッケルクロム鋼（ステンレス）や、曲げ加工や溶接が容易な鉄製とすることがより望ましい。寸法については特に限定する物ではなく、木質構造体３０が必要とする剛性を加工できる直径及び長さとし、角度のきつい曲げ部は、木質構造体３０の形状によって、木質構造体３０の両側断面にテーパとすることにより対応可能である。但し、曲げ部には応力が集中するため、力を分散するように大きな円弧とすることが望ましい。なお、中身のみならず、中立のパイプ等でもよい。
【００３１】
木質部材２０は、木材の製材工程において排出される小片木材や、処分に困っている杉間伐材などを輪切りにしたものを用いればよく、本発明の実施品を製造するための専用品である必要はない。即ち、挿通穴２１を設けられる面積を有する木片であれば形状や大きさが限定されるものではない。但し、図５に示す実施例のように丸太材を単に輪切りにして芯方向に対して垂直な方向に挿通穴２１を設ける場合では軟らかい樹皮と辺材の堺が潰れて寸法精度が悪くなる場合がある。そのような場合には組み合わされる木質部材２０同士の接触部を平面加工し、面接触状態で支える必要がある。多数の形状が考えられ、図２及び図３に示すとおり、断面形状が丸、矩形、台形、多角形、楕円、その他不規則な形状であっても相互に接触面を平行又は芯材１０の曲げに対応した角度を備えていればよい。具体的には杉の間伐材を輪切りにしたものが考えられる。係る杉の間伐材は、伐採した森林にそのまま放置されたり、放置されずに搬出されても利用の途が生み出せず、廃棄されてしまうため、資源の有効利用を図ることが望ましい。なお、杉の間伐材に限定されるものではなく、家具の製造工場や建物等の施工現場から排出されるすべての木材が適用対象となる。
【００３２】
木造構造物３０は、基本的に木製の構造物であって、具体的には例えば塀、壁、間仕切り部材、机、椅子、柱、及び花台等多種多様なものが対象となり得る。図５（ａ）から図５（ｆ）には、六種類の実施例を示したが、本発明に係る芯材挿通式木質構造体の製造方法１を利用することにより、その装飾効果を発揮させる多くのパターンが存在することは言うまでもない。
【００３３】
挿通穴２１は、木質部材２０に設けあれる貫通穴であって、芯材１０が挿通される穴部である。直径については芯材１０と隙間嵌めとなるか締まり嵌めになるかは木造構造物３０での使う部分によって異なる。即ち、強い強度を必要とする部分に用いられる場合には、締まり嵌めにすることによって、木質部材２０にも受ける荷重から作用する応力を分散させて剛性を高めることが有効である。これに対し、大きな力が作用せず、芯材１０の強度で十分に対応できる場合には、隙間嵌めでもデザイン性や製造工程において組み立てしやすいという長所を有する。更に、座屈に対する強度も高めることも可能となる。
【００３４】
締結部材４０は、芯材１０の両端に設けられる平坦な板状部材である。所謂枠部材に想到するもので、木質部材２０を両側から挟み込んで形状を保持するものである。締結部材４０には芯材１０を挿通させるための貫通した挿通穴２１が設けられている。
【００３５】
螺合部１１は、芯材１０の両端にネジ部を設けて雄ネジとし、雌ネジを有する螺合部材１２により芯材１０を締結する。なお、雌ネジ部を有する螺合部材１２は、所謂ナットでも良いが、可能であれば芯材１０の端部に用いる木質部材２０に螺合部材１２を埋め込んだ螺合部１１とすることが望ましい。このように構成することで、芯材１０を外部から目視できないようにして、木造構造物３０の質感を担保することが可能となる。
【００３６】
図３は、本発明に係る芯材挿通式木質構造体２を複数用いて平面的に構成する実施例を説明する実施例説明図である。係る構成を採用する場合には、複数の芯材１０を並列して長尺な連結部材４０で連結する。係る構成では、平面的な木造構造物３０となり、異なる形状の木質部材２０から生まれる隙間は通気性を備えた塀や壁とすることを可能とするものである。また、規則的な配置のみならず、不規則な配置による造形美を発揮させることも可能となる。
【００３７】
図４は、直行方向にも芯材を利用する構成を採用した場合の芯材挿通式木質構造体２の実施例を説明する実施例説明図である。係る実施例では、縦方向に四本の芯材１０を連結部材４０で連結するとともに、略中心部を直交する方向に芯材１０を一本備えている。なお、この場合、直交する一本の心材１０については隣接する木質部材２０を可能な限り広い面積で接触するようにすることが望ましい。このような構成にすることによって、壁や塀としての剛性を高めることが可能となるからである。
【００３８】
図５は、直線状及び曲線状の芯材を利用した構成の芯材挿通式木質構造体２の実施例を説明する実施例説明図であり、図５（ａ）は、曲状の芯材１０を利用する構成を採用した場合の芯材挿通式木質構造体２の実施例を説明する実施例説明図である。図５（ａ）に示すとおり、芯材１０に曲部を有しても断続的に隣接する小片の木質部材２０が接触することにより、曲げに対する強度を向上させることが可能である。製材される角材等は、曲げるのが大変であり、途中で曲率を描く柱や家具の支柱等従来ではできなかった造形の木造構造物３０を得ることが可能となる。例えば、図６（ｃ）のようなアーチ状の組み合わせから成るパーゴラ等を構成することも可能である。
【００３９】
図５（ｂ）は、芯材１０の芯方向に木質部材２０を直線状に配置する構成の芯材挿通式木質構造体２の実施例を説明する実施例説明図である。図５（ｂ）に示すとおり、直線状の心材１０に小片の木質部材２０を多数配置し、座屈に対する強度を向上させることが可能となる構成である。
【００４０】
図６は、本発明に係る芯材挿通式木質構造体２を複数用いて立体的に構成する実施例を説明する実施例説明図であり、図６（ａ）は、平面的に構成された木造構造物３０を、組み合わせることにより、立体的に構成した芯材挿通式木質構造体２の実施例を示し、図６（ｂ）は、芯材１０を立体公差させるなどして立体的に構成した芯材挿通式木質構造体２の実施例を示している。なお、図６（ａ）及び図６（ｂ）では、間伐材等の小径木を輪切りにしたものを組み合わせて、構成したものであり、間伐材の有効利用に資する実施例態形といえるものである。更に図6（ｃ）は、曲状に構成された木造構造物３０を立体的に交差させて庭園等で利用するパーゴラの実施例を示したものである。
【産業上の利用可能性】
【００４１】
本発明は、森林環境保護に必須の間伐作業から得られる間伐材や、製材工程において生じた小径木の有効利用を図ることで、林業の分野における産業の発達に貢献するとともに、廃棄される木材等の有効利用により環境保全にも資するといえ、産業上の利用可能性は高いものと思慮される。
【符号の説明】
【００４２】
１    芯材挿通式木質構造体の製造方法
２    芯材挿通式木質構造体
１０  芯材
１１  螺合部
１２  螺合部材
２０  木質部材
２１  挿通穴
３０  木造構造物
４０  連結部材
【図１】
2020082651.tif 000003
【図２】
2020082651.tif 000004
【図３】
2020082651.tif 000005
【図４】
2020082651.tif 000006
【図５】
2020082651.tif 000007
【図６】
2020082651.tif 000008
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
芯材（１０）と木質部材（２０）を利用して木造構造物（３０）を製造する製造方法であって、
木材から二つの平面部を設けた前記木質部材（２０）を得る木質部材加工工程Ａと
前記木質部材（２０）に前記芯材（１０）を挿通する挿通穴（２１）を設ける挿通穴加工工程Ｂと、
前記木質部材加工工程Ａ及び前記挿通穴加工工程Ｂで得られた前記木質部材（２０）の前記挿通穴（２１）に、前記芯材（１０）を挿通させて前記木造構造物（３０）を組み立てる組立工程Ｃと、
前記芯材（１０）の両端に設けられる締結部材（４０）によって締結する締結工程Ｄから成り、
重なり合う前記木質部材（２０）の前記平面部同士を面接触させることを特徴とする芯材挿通式木質構造体の製造方法（１）。
【請求項２】
前記芯材（１０）の片側端部又は両側端部に螺合部（１１）を備え、
前記組立工程Ｃにおいて前記木質部材（２０）を前記芯材（１０）の形状に沿って複数挿通させて組み立てた後、
前記締結工程Ｄにおいて、前記締結部材（４０）及び、螺合部材（１２）を介して前記芯材（１０）を締結することを特徴とする請求項１に記載の芯材挿通式木質構造体の製造方法（１）。
【請求項３】
前記締結工程Ｄにおいて、前記芯材（１０）及び前記締結部材（４０）に対し、垂直方向にも前記芯材（１０）及び前記締結部材（４０）設けることを特徴とする請求項１又は請求項２に記載の芯材挿通式木質構造体の製造方法（１）。
【請求項４】
芯材（１０）と木質部材（２０）を利用した木造構造物（３０）であって、
前記木質部材（２０）には前記芯材（１０）を挿通する挿通穴（２１）と、二つの平面部を設け、
前記木質部材（２０）を前記芯材（１０）の形状に沿って複数挿通させ、
前記芯材（１０）の両端に設けられる締結部材（４０）によって締結し、
重なり合う前記木質部材（２０）の平面部同士が面接触することを特徴とする芯材挿通式木質構造体（２）。
【請求項５】
前記芯材（１０）の片側端部又は両側端部に螺合部（１１）を備え、
前記木質部材（２０）を前記芯材（１０）の形状に沿って複数挿通させた後
前記締結部材（４０）及び、螺合部材（１２）を介して前記芯材（１０）を締結することを特徴とする請求項４に記載の芯材挿通式木質構造体（２）。
【請求項６】
前記芯材（１０）及び前記締結部材（４０）に対し、垂直方向にも前記芯材（１０）及び前記締結部材（４０）設けることを特徴とする請求項４又は請求項５に記載の芯材挿通式木質構造体（２）。
【手続補正２】
【補正対象書類名】明細書
【補正対象項目名】００４２
【補正方法】変更
【補正の内容】
【００４２】
１    芯材挿通式木質構造体の製造方法
２    芯材挿通式木質構造体
１０  芯材
１１  螺合部
１２  螺合部材
２０  木質部材
２１  挿通穴
３０  木造構造物
４０  締結部材